(57)【特許請求の範囲】
【請求項１】
少なくとも１本のショートバーと、複数の信号ラインと、前記少なくとも１本のショートバーと前記複数の信号ラインを接続するスイッチモジュールとを含む表示パネルのテスト回路であって、
前記スイッチモジュールは、前記表示パネルをテストする際に、前記複数の信号ラインをそれに対応するショートバーに接続し、前記表示パネルのテストが終了した際には、前記複数の信号ラインと前記少なくとも１本のショートバーの接続を遮断する表示パネルのテスト回路において、
前記スイッチモジュールは、１本の制御信号ライン及び複数のスイッチ管を含み、
いずれのスイッチ管の制御端も前記制御信号ラインと接続され、出力端はそれに対応する１本のショートバーと接続され、入力端は前記ショートバーに対応する複数の信号ラインと接続されており、
前記制御信号ラインが第１制御信号を伝送する際に、すべてのスイッチ管が閉まり、前記複数の信号ラインと前記少なくとも１本のショートバーの接続が遮断され、
前記制御信号ラインが第２制御信号を伝送する際に、すべてのスイッチ管が開き、前記複数の信号ラインがそれに対応するショートバーに接続され、
前記スイッチ管が薄膜トランジスタ及び／またはトライオードを含み、
前記複数の信号ラインは、複数のＲ画素信号ラインと、複数のＧ画素信号ラインと、複数のＢ画素信号ラインを含み、前記複数のスイッチ管は、第１スイッチ管と、第２スイッチ管と、第３スイッチ管を含み、前記少なくとも１本のショートバーは、第１ショートバーと、第２ショートバーと、第３ショートバーを含み、
前記第１スイッチ管の入力端は前記複数のＲ画素信号ラインと接続され、出力端は前記第１ショートバーと接続されており、
前記第２スイッチ管の入力端は前記複数のＧ画素信号ラインと接続され、出力端は前記第２ショートバーと接続されており、
前記第３スイッチ管の入力端は前記複数のＢ画素信号ラインと接続され、出力端は前記第３ショートバーと接続されている、
表示パネルのテスト回路。
【請求項２】
請求項１に記載の表示パネルのテスト回路において、前記制御信号ライン上で高電圧レベル信号を伝送する際に、前記薄膜トランジスタが開き、
前記制御信号ライン上で低電圧レベル信号を伝送する際、前記薄膜トランジスタが閉じる、
表示パネルのテスト回路。
【請求項３】
少なくとも１本のショートバーと、複数の信号ラインと、前記少なくとも１本のショートバーと前記複数の信号ラインを接続するスイッチモジュールとを含む表示パネルのテスト回路であって、
前記スイッチモジュールは、前記表示パネルをテストする際に、前記複数の信号ラインをそれに対応するショートバーに接続し、前記表示パネルのテストが終了した際には、前記複数の信号ラインと前記少なくとも１本のショートバーの接続を遮断する表示パネルのテスト回路において、
前記スイッチモジュールは、１本の制御信号ラインと、複数のスイッチ管を含み、
いずれのスイッチ管の制御端も前記制御信号ラインと接続され、出力端はそれに対応する１本のショートバーと接続され、入力端は前記ショートバーに対応する複数の信号ラインと接続されており、
前記制御信号ラインが第１制御信号を伝送する際に、すべてのスイッチ管が閉まり、前記複数の信号ラインと前記少なくとも１本のショートバーの接続が遮断され、
前記制御信号ラインが第２制御信号を伝送する際に、すべてのスイッチ管が開き、前記複数の信号ラインがそれに対応するショートバーに接続され、
前記複数の信号ラインは、複数のＲ画素信号ラインと、複数のＧ画素信号ラインと、複数のＢ画素信号ラインを含み、前記複数のスイッチ管は、第１スイッチ管と、第２スイッチ管と、第３スイッチ管を含み、前記少なくとも１本のショートバーは、第１ショートバーと、第２ショートバーと、第３ショートバーを含み、
前記第１スイッチ管の入力端は前記複数のＲ画素信号ラインと接続され、出力端は前記第１ショートバーと接続されており、
前記第２スイッチ管の入力端は前記複数のＧ画素信号ラインと接続され、出力端は前記第２ショートバーと接続されており、
前記第３スイッチ管の入力端は前記複数のＢ画素信号ラインと接続され、出力端は前記第３ショートバーと接続されている、
表示パネルのテスト回路。
【請求項４】
請求項３に記載の表示パネルのテスト回路において、前記スイッチ管が薄膜トランジスタを含む、表示パネルのテスト回路。
【請求項５】
請求項４に記載の表示パネルのテスト回路において、前記制御信号ライン上で高電圧レベル信号を伝送する際に、前記薄膜トランジスタが開き、
前記制御信号ライン上で低電圧レベル信号を伝送する際に、前記薄膜トランジスタが閉じる、
表示パネルのテスト回路。
【請求項６】
請求項３に記載の表示パネルのテスト回路において、前記スイッチ管がトライオードを含む、表示パネルのテスト回路。
【請求項７】
表示パネルと、表示パネルのテスト回路とを含む表示装置であって、
前記表示パネルのテスト回路は、少なくとも１本のショートバーと、複数の信号ラインと、前記少なくとも１本のショートバーと前記複数の信号ラインを接続するスイッチモジュールとを含み、
前記スイッチモジュールは、前記表示パネルをテストする際に、前記複数の信号ラインをそれに対応するショートバーに接続し、前記表示パネルのテストが終了した際には、前記複数の信号ラインと前記少なくとも１本のショートバーの接続を遮断する表示パネルのテスト回路において、
前記スイッチモジュールは、１本の制御信号ラインと、複数のスイッチ管とを含み、
いずれのスイッチ管の制御端も前記制御信号ラインと接続され、出力端はそれに対応する１本のショートバーと接続され、入力端は前記ショートバーに対応する複数の信号ラインと接続されており、
前記制御信号ラインが第１制御信号を伝送する際に、すべてのスイッチ管が閉まり、前記複数の信号ラインと前記少なくとも１本のショートバーの接続が遮断され、
前記制御信号ラインが第２制御信号を伝送する際に、すべてのスイッチ管が開き、前記複数の信号ラインがそれに対応するショートバーに接続され、
前記複数の信号ラインは、複数のＲ画素信号ラインと、複数のＧ画素信号ラインと、複数のＢ画素信号ラインを含み、前記複数のスイッチ管は、第１スイッチ管と、第２スイッチ管と、第３スイッチ管を含み、前記少なくとも１本のショートバーは、第１ショートバーと、第２ショートバーと、第３ショートバーを含み、
前記第１スイッチ管の入力端は前記複数のＲ画素信号ラインと接続され、出力端は前記第１ショートバーと接続されており、
前記第２スイッチ管の入力端は前記複数のＧ画素信号ラインと接続され、出力端は前記第２ショートバーと接続されており、
前記第３スイッチ管の入力端は前記複数のＢ画素信号ラインと接続され、出力端は前記第３ショートバーと接続されている、
表示装置。
【請求項８】
請求項７に記載の表示装置において、前記スイッチ管が薄膜トランジスタを含む、表示装置。
【請求項９】
請求項８に記載の表示装置において、前記制御信号ライン上で高電圧レベル信号を伝送する際に、前記薄膜トランジスタが開き、
前記制御信号ライン上で低電圧レベル信号を伝送する際に、前記薄膜トランジスタが閉じる、
表示装置。
【請求項１０】
請求項７に記載の表示装置において、前記スイッチ管がトライオードを含む、表示装置。
【発明の詳細な説明】
【技術分野】
【０００１】
本発明は表示技術分野、特に表示パネルのテスト回路及び表示装置に係わる。
【背景技術】
【０００２】
薄膜トランジスタ液晶ディスプレイ（Ｔｈｉｎ  Ｆｉｌｍ  Ｔｒａｎｓｉｓｔｏｒ  ｌｉｑｕｉｄ  ｃｒｙｓｔａｌ  ｄｉｓｐｌａｙ，  ＴＦＴ−ＬＣＤ）は、カラーフィルタ基板（Ｃｏｌｏｒ  Ｆｉｌｔｅｒ，ＣＦ）と、薄膜トランジスタアレイ基板（Ｔｈｉｎ  Ｆｉｌｍ  Ｔｒａｎｓｉｓｔｏｒ  Ａｒｒａｙ  Ｓｕｂｓｔｒａｔｅ，ＴＦＴ  Ａｒｒａｙ  Ｓｕｂｓｔｒａｔｅ）と、両基板の間に配置された液晶層（Ｌｉｑｕｉｄ  Ｃｒｙｓｔａｌ  Ｌａｙｅｒ）によって構成されている。
【０００３】
ＴＦＴ−ＬＣＤの製造には、アレイ基板工程、カラーフィルタ基板工程、及びアレイ基板とカラーフィルタ基板のセル（Ｃｅｌｌ）工程が含まれており、一般に、セル工程を行う際にはパネル機能テスト（Ｃｅｌｌ  Ｔｅｓｔ）を行わなければならない。Ｃｅｌｌ  Ｔｅｓｔによって、パネルのＡｒｒａｙ、ＣＦ、Ｃｅｌｌという３つの工程で出現する不具合をチェックし、不良品を除去することである。
【０００４】
Ｃｅｌｌ  Ｔｅｓｔ工程では、通常、ショートバー（ｓｈｏｒｔｉｎｇ  ｂａｒ）の形式を用いて点灯テストを行うが、テスト後にショートバーをレーザーで切断する必要があり、ＴＦＴ−ＬＣＤの製造コストが増加する。
【発明の概要】
【発明が解決しようとする課題】
【０００５】
本発明の目的は、表示装置の製造コストを抑えることができる、表示パネルのテスト回路及び表示装置を提供することにある。  
【課題を解決するための手段】
【０００６】
本発明の実施例では表示パネルのテスト回路を提供しており、該回路は、少なくとも１本のショートバーと、複数の信号ラインと、前記少なくとも１本のショートバーと前記複数の信号ラインを接続するスイッチモジュールとを含む。
【０００７】
前記スイッチモジュールは、前記表示パネルをテストする際に、前記複数の信号ラインをそれに対応するショートバーに接続し、前記表示パネルのテストが終了した際には、前記複数の信号ラインと前記少なくとも１本のショートバーの接続を遮断する。
【０００８】
前記スイッチモジュールは、１本の制御信号ラインと、複数のスイッチ管を含む。
【０００９】
いずれのスイッチ管の制御端も前記制御信号ラインと接続され、出力端はそれに対応するショートバーと接続され、入力端は前記ショートバーに対応する信号ラインと接続されている。
【００１０】
前記制御信号ラインが第１制御信号を伝送する際に、すべてのスイッチ管が閉まり、前記複数の信号ラインと前記少なくとも１本のショートバーの接続が遮断される。
【００１１】
前記制御信号ラインが第２制御信号を伝送すると、すべてのスイッチ管が開き、前記複数の信号ラインがそれに対応するショートバーに接続される。
【００１２】
前記スイッチ管は、薄膜トランジスタ及び／またはトライオードを含む。
【００１３】
いくつかの実施例では、前記制御信号ライン上で高電圧レベル信号を伝送する際に、前記薄膜トランジスタが開き、
前記制御信号ライン上で低電圧レベル信号を伝送する際に、前記薄膜トランジスタが閉じる。
【００１４】
いくつかの実施例では、前記複数の信号ラインは、複数のＲ画素信号ラインと、複数のＧ画素信号ラインと、複数のＢ画素信号ラインを含み、前記複数のスイッチ管は、第１スイッチ管と、第２スイッチ管と、第３スイッチ管を含み、前記少なくとも１本のショートバーは、第１ショートバーと、第２ショートバーと、第３ショートバーを含む。
【００１５】
前記第１スイッチ管の入力端は前記複数のＲ画素信号ラインと接続され、出力端は前記第１ショートバーと接続されており、
前記第２スイッチ管の入力端は前記複数のＧ画素信号ラインと接続され、出力端は前記第２ショートバーと接続されており、
前記第３スイッチ管の入力端は前記複数のＢ画素信号ラインと接続され、出力端は前記第３ショートバーと接続されている。
【００１６】
いくつかの実施例では、前記複数の信号ラインは複数のＶＳＳ信号ラインを含む。
【００１７】
本発明の実施例では、少なくとも１本のショートバーと、複数の信号ラインと、前記少なくとも１本のショートバーと前記複数の信号ラインを接続するスイッチモジュールとを含む表示パネルのテスト回路を提供している。
【００１８】
前記スイッチモジュールは、前記表示パネルをテストする際に、前記複数の信号ラインをそれに対応するショートバーに接続し、前記表示パネルのテストが終了した際には、前記複数の信号ラインと前記少なくとも１本のショートバーの接続を遮断する。
【００１９】
いくつかの実施例では、前記スイッチモジュールは、１本の制御信号ラインと、複数のスイッチ管とを含む。
【００２０】
いずれのスイッチ管の制御端も前記制御信号ラインと接続され、出力端はそれに対応するショートバーと接続され、入力端は前記ショートバーに対応する信号ラインと接続されている。
【００２１】
前記制御信号ラインが第１制御信号を伝送する際に、すべてのスイッチ管が閉まり、前記複数の信号ラインと前記少なくとも１本のショートバーの接続が遮断される。
【００２２】
前記制御信号ラインが第２制御信号を伝送する際に、すべてのスイッチ管が開き、前記複数の信号ラインがそれに対応するショートバーに接続される。
【００２３】
いくつかの実施例では、前記スイッチ管は薄膜トランジスタを含む。
【００２４】
いくつかの実施例では、前記制御信号ライン上で高電圧レベル信号を伝送する際に、前記薄膜トランジスタが開き、
前記制御信号ライン上で低電圧レベル信号を伝送する際に、前記薄膜トランジスタが閉じる。
【００２５】
いくつかの実施例では、前記スイッチ管はトライオードを含む。
【００２６】
いくつかの実施例では、前記複数の信号ラインは、複数のＲ画素信号ラインと、複数のＧ画素信号ラインと、複数のＢ画素信号ラインを含み、前記複数のスイッチ管は、第１スイッチ管と、第２スイッチ管と、第３スイッチ管を含み、前記少なくとも１本のショートバーは、第１ショートバーと、第２ショートバーと、第３ショートバーを含む。
【００２７】
前記第１スイッチ管の入力端は前記複数のＲ画素信号ラインと接続され、出力端は前記第１ショートバーと接続されており、
前記第２スイッチ管の入力端は前記複数のＧ画素信号ラインと接続され、出力端は前記第２ショートバーと接続されており、
前記第３スイッチ管の入力端は前記複数のＢ画素信号ラインと接続され、出力端は前記第３ショートバーと接続されている。
【００２８】
いくつかの実施例では、前記複数の信号ラインは複数のＶＳＳ信号ラインを含む。
【００２９】
本発明の実施例では、表示パネルと、表示パネルのテスト回路とを含む表示装置をさらに提供している。
【００３０】
前記表示パネルのテスト回路は、少なくとも１本のショートバーと、複数の信号ラインと、前記少なくとも１本のショートバーと前記複数の信号ラインを接続するスイッチモジュールとを含み、
前記スイッチモジュールは、前記表示パネルをテストする際に、前記複数の信号ラインをそれに対応するショートバーに接続し、前記表示パネルのテストが終了した際には、前記複数の信号ラインと前記少なくとも１本のショートバーの接続を遮断する。
【００３１】
いくつかの実施例では、前記スイッチモジュールは、１本の制御信号ラインと、複数のスイッチ管とを含む。
【００３２】
いずれのスイッチ管の制御端も前記制御信号ラインと接続され、出力端はそれに対応するショートバーと接続され、入力端は前記ショートバーに対応する信号ラインと接続されている。
【００３３】
前記制御信号ラインが第１制御信号を伝送する際に、すべてのスイッチ管が閉まり、前記複数の信号ラインと前記少なくとも１本のショートバーの接続が遮断される。
【００３４】
前記制御信号ラインが第２制御信号を伝送する際に、すべてのスイッチ管が開き、前記複数の信号ラインがそれに対応するショートバーに接続される。
【００３５】
いくつかの実施例では、前記スイッチ管は薄膜トランジスタを含む。
【００３６】
いくつかの実施例では、前記制御信号ライン上で高電圧レベル信号を伝送する際、前記薄膜トランジスタが開き、
前記制御信号ライン上で低電圧レベル信号を伝送する際に、前記薄膜トランジスタが閉じる。
【００３７】
いくつかの実施例では、前記スイッチ管はトライオードを含む。
【００３８】
いくつかの実施例では、前記複数の信号ラインは、複数のＲ画素信号ラインと、複数のＧ画素信号ラインと、複数のＢ画素信号ラインを含み、前記複数のスイッチ管は、第１スイッチ管と、第２スイッチ管と、第３スイッチ管を含み、前記少なくとも１本のショートバーは、第１ショートバーと、第２ショートバーと、第３ショートバーを含む。
【００３９】
前記第１スイッチ管の入力端は前記複数のＲ画素信号ラインと接続され、出力端は前記第１ショートバーと接続されており、
前記第２スイッチ管の入力端は前記複数のＧ画素信号ラインと接続され、出力端は前記第２ショートバーと接続されており、
前記第３スイッチ管の入力端は前記複数のＢ画素信号ラインと接続され、出力端は前記第３ショートバーと接続されている。
【００４０】
いくつかの実施例では、前記複数の信号ラインは複数のＶＳＳ信号ラインを含む。  
【発明の効果】
【００４１】
本発明の実施例における表示パネルのテスト回路及び表示装置は、ショートバーと信号ラインとの間に設置されたスイッチモジュールによって、パネルテストの際にはショートバーと信号ラインの接続を制御し、パネルテスト終了後は接続を遮断することにより、表示装置の製造コストを引き下げている。
【００４２】
本発明の上記の内容をより明確に、わかりやすくするために、以下では好適な実施例を挙げるとともに、図面と組み合わせて詳細な説明を行う。
【図面の簡単な説明】
【００４３】
【図１】図１は、本発明の実施例で提供する表示装置の構造概略図である。
【図２】図２は、本発明の実施例で提供する表示パネルのテスト回路の構造概略図である。
【図３】図３は、本発明の実施例で提供する表示パネルのテスト回路のもう１つの構造概略図である。
【発明を実施するための形態】
【００４４】
以下の各実施例の説明は、添付された図を参考にしており、本発明の実施可能な特定の実施例を例示するために用いられる。本発明で言及している方向用語、例えば「上」、「下」、「前」、「後」、「左」、「右」、「内」、「外」、「側面」などは、図面の方向の参考にすぎない。したがって、使用されている方向用語は本発明の説明及び理解に用いられるものであって、本発明を限定するものではない。
【００４５】
図中では、構造が類似するユニットは、同じ記号で表示されている。
【００４６】
本文中で「実施例」に言及することは、実施例と結び付けて記載されている特定の特徴、構造または特性が、本発明の少なくとも１つの実施例に含まれていることを意味している。明細書の各部分で該略語が出現しても、すべて同じ実施例を指すとは限らず、また他の実施例と斥け合う独立した、または候補としての実施例というわけでもない。当業者は、本文に記載されている実施例が他の実施例と結合可能であることを、明らかに、または暗黙に理解している。
【００４７】
図１を参照すると、図１は本発明の実施例で提供する表示装置の構造概略図である。表示装置１は、表示パネル２０００と、表示パネルのテスト回路１０００を含む。
【００４８】
図２を参照すると、図２は本発明の実施例で提供する表示パネルのテスト回路の構造概略図である。表示パネルのテスト回路１０００は、少なくとも１本のショートバー１００と、複数の信号ライン２００と、前記少なくとも１本のショートバー１００と前記複数の信号ライン２００を接続するスイッチモジュール３００とを含む。
【００４９】
スイッチモジュール３００は、表示パネル２０００をテストする際に、複数の信号ライン２００をそれに対応するショートバー１００に接続する。表示パネル２０００のテストが終了した際には、複数の信号ライン２００と少なくとも１本のショートバー１００の接続を遮断する。
【００５０】
図２に示すように、楕円の枠は１本のショートバー１００と２本の信号ライン２００との間の接続関係を示しており、点線枠の部分はスイッチモジュール３００の一部である。点線枠部分から、ショートバー１００とそれに対応する信号ライン２００との間にスイッチが設けられていることがわかり、スイッチが導通状態にある時は、ショートバー２００は２本の信号ライン２００の信号を受け取り、この時、該信号に基づいて、表示パネル２０００に対してテストを行うことができる。テストの終了後は、スイッチを遮断することができ、この時、ショートバー２００は信号ライン２００の信号を受け取らず、該信号の表示パネル２０００に対する干渉が杜絶される。
【００５１】
いくつかの実施例では、図３に示すように、スイッチモジュール３００は、制御信号ライン３０１と、複数のスイッチ管３０２を含む。該制御信号ライン３０１は制御信号の伝送に用いられる。該スイッチ管３０２は、制御端と、入力端と、出力端を有しており、該制御端は上記制御信号を受け取って、制御信号の制御下でオン及びオフの操作を行うために用いられる。
【００５２】
図３に示すように、いずれのスイッチ管３０２の制御端も制御信号ライン３０１と接続され、出力端はそれに対応するショートバー１００と接続され、入力端は前記ショートバー１００に対応する信号ライン２００と接続されている。
【００５３】
制御信号ライン３０１が第１制御信号を伝送する際に、すべてのスイッチ管３０２が閉まり、前記複数の信号ライン２００と前記少なくとも１本のショートバー１００の接続が遮断される。
【００５４】
制御信号ライン３０１が第２制御信号を伝送する際に、すべてのスイッチ管３０２が開き、前記複数の信号ライン２００がそれに対応するショートバー１００に接続される。
【００５５】
いくつかの実施例では、前記スイッチ管３０２は薄膜トランジスタであってよい。薄膜トランジスタのゲート電極は制御信号ライン３０１に接続され、ソース電極は複数の信号ライン２００に接続され、ドレイン電極はショートバー１００に接続されている。表示パネル２０００のテストを行う際には、制御信号ライン３０１上で高電圧レベル信号を伝送する際に、薄膜トランジスタが開き、複数の信号ライン２００をそれに対応するショートバー１００に接続させる。表示パネル２０００のテストが終了する際に、制御信号ライン３０１上で低電圧レベル信号を伝送し、前記薄膜トランジスタが閉じて、表示パネル２０００に対する干渉を回避する。
【００５６】
いくつかの実施例では、前記スイッチ管３０２はトライオードであってよい。トライオードのベース電極は制御信号ライン３０１に接続され、コレクタ電極及びエミッタ電極はそれぞれ複数の信号ライン２００と１本のショートバー１００に接続される。
【００５７】
いくつかの実施例では、前記複数の信号ライン２００は、複数のＲ画素信号ラインと、複数のＧ画素信号ラインと、複数のＢ画素信号ラインを含み、前記複数のスイッチ管３０２は、第１スイッチ管と、第２スイッチ管と、第３スイッチ管を含み、前記少なくとも１本のショートバー１００は、第１ショートバーと、第２ショートバーと、第３ショートバーを含む。
【００５８】
第１スイッチ管の入力端は前記複数のＲ画素信号ラインと接続され、出力端は前記第１ショートバーと接続されており、前記第２スイッチ管の入力端は前記複数のＧ画素信号ラインと接続され、出力端は前記第２ショートバーと接続されており、前記第３スイッチ管の入力端は前記複数のＢ画素信号ラインと接続され、出力端は前記第３ショートバーと接続されている。
【００５９】
表示パネル２０００のチェックを行う際には、制御信号ライン３０１が第２制御信号を伝送して、画素信号ラインをそれに対応するショートバーに接続させる。例えば、Ｒ画素信号ラインを第１スイッチ管を介して第１ショートバーと接続し、第１ショートバーの検出信号点を通して検出信号を入力する際に、表示パネル２０００上で赤色を点灯させることができ、赤色の下で、異常な画素点や輝度の不均一といった現象が存在するかどうかをチェックする。
【００６０】
いくつかの実施例では、前記複数の信号ライン２００は複数のＶＳＳ信号ラインなどを含むことができ、それらとスイッチ管３０２、ショートバー１００との間の接続関係は、上記の画素信号ラインとスイッチ管３０２、ショートバー１００の接続関係を参照すればよいので、ここでは述べないものとする。
【００６１】
以上のように、本発明を好適な実施例により上記のように開示しているが、上記の好適な実施例は本発明を限定するためのものではなく、当業者であれば、本発明の主旨及び範囲を逸脱せずに各種の変更や潤色を行うことができるので、本発明の保護範囲は、請求項により画定された範囲を基準と見なすものとする。
【符号の説明】
【００６２】
１...表示装置
１００...ショートバー
２００...信号ライン
３００...スイッチモジュール
３０１...制御信号ライン
３０２...スイッチ管
１０００...テスト回路
２０００...表示パネル
【図１】
0006977141.tif 000002
【図２】
0006977141.tif 000003
【図３】
0006977141.tif 000004